【手続補正書】
【提出日】平成16年5月14日(2004.5.14)
【手続補正１】
【補正対象書類名】明細書
【補正対象項目名】発明の名称
【補正方法】変更
【補正の内容】
【発明の名称】印刷物および印刷媒体
【手続補正２】
【補正対象書類名】明細書
【補正対象項目名】特許請求の範囲
【補正方法】変更
【補正の内容】
【特許請求の範囲】
【請求項１】
第１樹脂シートと、上記第１樹脂シートに接着層を介して剥離可能に積層された第２樹脂シートと、上記第２樹脂シートに積層された印刷媒体とを含み、上記第１および第２樹脂シートと印刷媒体との積層部に、切り取り線で囲まれた切り離し可能なカード部が設けられ、上記カード部のうち第２樹脂シートと印刷媒体とが第１樹脂シートと接着層を残して剥離しうるようになっていることを特徴とする印刷物。
【請求項２】
上記第１樹脂シートの切り取り線が、断続的な切れ込みからなるものである請求項１記載の印刷物。
【請求項３】
上記印刷媒体から第２樹脂シートにわたる切り取り線が、実質的に連続する切れ込みからなるものである請求項１または２記載の印刷物。
【請求項４】
上記第２樹脂シートの第１樹脂シートと密着する面が易剥離面に形成されている請求項１〜３のいずれか一項に記載の印刷物。
【請求項５】
上記カード部に、磁気記録層を存在させている請求項１〜４のいずれか一項に記載の印刷物。
【請求項６】
上記カード部に、バーコードが設けられている請求項１〜４のいずれか一項に記載の印刷物。
【請求項７】
上記カード部にＩＣチップを存在させている請求項１〜４のいずれか一項に記載の印刷物。
【請求項８】
第１樹脂シートと、上記第１樹脂シートに接着層を介して剥離可能に積層された第２樹脂シートと、上記第２樹脂シートに積層された印刷媒体とを含み、上記第１および第２樹脂シートと印刷媒体との積層部に、切り取り線で囲まれた切り離し可能なカード部が設けられ、上記カード部のうち第２樹脂シートと印刷媒体とが第１樹脂シートと接着層を残して剥離しうるようになっていることを特徴とする印刷媒体。
【手続補正３】
【補正対象書類名】明細書
【補正対象項目名】０００１
【補正方法】変更
【補正の内容】
【０００１】
【発明の属する技術分野】
本発明は、切り離し可能なカード部を有する印刷物および印刷媒体に関するものである。
【手続補正４】
【補正対象書類名】明細書
【補正対象項目名】０００４
【補正方法】変更
【補正の内容】
【０００４】
本発明は、このような事情に鑑みなされたもので、切り離し可能なカード部を切り離し後にラミネート加工して、カードの耐久性を向上させることができる印刷物および印刷媒体の提供を目的とする。
【手続補正５】
【補正対象書類名】明細書
【補正対象項目名】０００５
【補正方法】変更
【補正の内容】
【０００５】
【課題を解決するための手段】
上記の目的を達成するため、本発明の印刷物は、第１樹脂シートと、上記第１樹脂シートに接着層を介して剥離可能に積層された第２樹脂シートと、上記第２樹脂シートに積層された印刷媒体とを含み、上記第１および第２樹脂シートと印刷媒体との積層部に、切り取り線で囲まれた切り離し可能なカード部が設けられ、上記カード部のうち第２樹脂シートと印刷媒体とが第１樹脂シートと接着層を残して剥離しうるようになっていることを要旨とする。また、本発明の印刷媒体は、第１樹脂シートと、上記第１樹脂シートに接着層を介して剥離可能に積層された第２樹脂シートと、上記第２樹脂シートに積層された印刷媒体とを含み、上記第１および第２樹脂シートと印刷媒体との積層部に、切り取り線で囲まれた切り離し可能なカード部が設けられ、上記カード部のうち第２樹脂シートと印刷媒体とが第１樹脂シートと接着層を残して剥離しうるようになっていることを要旨とする。
【手続補正６】
【補正対象書類名】明細書
【補正対象項目名】０００６
【補正方法】変更
【補正の内容】
【０００６】
すなわち、本発明の印刷物および印刷媒体は、第１樹脂シートと、上記第１樹脂シートに接着層を介して剥離可能に積層された第２樹脂シートと、上記第２樹脂シートに積層された印刷媒体とを含み、上記第１および第２樹脂シートと印刷媒体との積層部に、切り取り線で囲まれた切り離し可能なカード部が設けられている。そして、上記カード部のうち第２樹脂シートと印刷媒体とが第１樹脂シートと接着層を残して剥離しうるようになっている。
【手続補正７】
【補正対象書類名】明細書
【補正対象項目名】０００９
【補正方法】変更
【補正の内容】
【０００９】
本発明において、上記第１樹脂シートの切り取り線が、断続的な切れ込みからなるものである場合には、カード部を切り離す前は、カード部が印刷物から容易に切り離されないように保持するとともに、第１樹脂シートの切り離しが必要になったときには、上記切れ込みから上記第１樹脂シートのカード部を容易に切り離すことができる。
【手続補正８】
【補正対象書類名】明細書
【補正対象項目名】００１０
【補正方法】変更
【補正の内容】
【００１０】
本発明において、上記印刷媒体から第２樹脂シートにわたる切り取り線が、実質的に連続する切れ込みからなるものである場合には、カード部のうち第２樹脂シートと印刷媒体を第１樹脂シートから容易に剥離することができる。
【手続補正９】
【補正対象書類名】明細書
【補正対象項目名】００１１
【補正方法】変更
【補正の内容】
【００１１】
本発明において、上記第２樹脂シートの第１樹脂シートと密着する面が易剥離面に形成されている場合には、接着層に剥離跡をほとんど残さず、かつ、接着力もそれほど低下させずに第２樹脂シートと印刷媒体を第１樹脂シートから剥離することができる。
【手続補正１０】
【補正対象書類名】明細書
【補正対象項目名】００１３
【補正方法】変更
【補正の内容】
【００１３】
本発明において、上記カード部に、磁気記録層を存在させている場合には、切り離したカードを、情報が記録できる磁気記録カード等として利用でき、各種の用途に用いることができ、便利である。
【手続補正１１】
【補正対象書類名】明細書
【補正対象項目名】００１４
【補正方法】変更
【補正の内容】
【００１４】
本発明において、上記カード部に、バーコードが設けられている場合には、切り離したカードを、各種の情報が記録できる情報記録カードとして利用でき、各種の用途に用いることができ、便利である。
【手続補正１２】
【補正対象書類名】明細書
【補正対象項目名】００１６
【補正方法】変更
【補正の内容】
【００１６】
本発明において、上記カード部にＩＣチップを存在させている場合には、切り離したカードを、例えば、高密度情報が記録できるＩＣカードやメモリカード等として利用でき、各種の用途に用いることができ、便利である。
【手続補正１３】
【補正対象書類名】明細書
【補正対象項目名】００３６
【補正方法】変更
【補正の内容】
【００３６】
【発明の効果】
以上のように、本発明によれば、剥離された印刷媒体の表面が第２樹脂シートによってラミネートされたカードを容易に得ることができる。このカードの第２樹脂シートがラミネートされていない裏面には、手書き，ゴム版，捺印，印刷などの自由な書き込みを行うこともできる。その後、印刷物に残された上記第１樹脂シートのカード部に、上記カードのラミネートされていない裏面を対面させ、第１樹脂シートに残った接着層によって接着させる。そして、上記第１および第２樹脂シートと印刷媒体の積層体を、第１樹脂シートのカード部周辺に設けられた切り取り線から切り離し、印刷媒体の両面に第１および第２樹脂シートがラミネートされたカードを得ることができる。このように、印刷媒体の両面に樹脂シートがラミネートされたカードを容易に形成することができるため、定期入れ等に入れて携帯しても、しわになったり傷んだりし難く、非常に耐久性に優れる。また、印刷媒体のカード部に書き込みをした後に書き込みの上を樹脂シートでラミネートすることができるため、書き込みが消えたり汚損することがほとんどなくなる。